(57)【要約】【課題】  人の口と鼻を覆うマスクにおいて、鼻と頬に接するマスク上辺部の隙間を塞ぎ、呼気の漏れを防ぎ、メガネが曇らないようにするマスクの提供を目的とする。【解決手段】  本発明のマスクは、マスク本体１の上辺部内側に、下方に山形で適度に柔軟性があり不通気性の薄膜片３を上辺中央より両端を下げた接着線４と接着線５で接着することを特徴とするマスクである。この状態で、薄膜片３は、装着前に上方に折り曲げマスク本体１を装着するとマスク本体１より内側に鋭角に傾き、山形の中央部がメガネのパットで抑えられ鼻と頬をしっかり密着し覆うように形成される。【選択図】図１
2019119977.tif 000002
【特許請求の範囲】
【請求項１】
人の口と鼻を覆うマスクにおいて、マスク本体１の上辺部内側に、適度に柔軟性があり不通気性の薄膜片３を上辺中央より両端を下げた接着線４と接着線５に沿って接着する。この状態で薄膜片３を接着４に沿って上方に折り曲げ、耳掛紐２を耳に掛け装着すると薄膜片３はマスク本体１より内側に鋭角に傾く構造であることを特徴とするマスク。
【請求項２】
請求項１に記載のマスクにおいて、薄膜片３は、適度に柔軟性があり不通気性の薄膜をマスク本体１と同じ被膜で両面を覆うことを特徴とするマスク。
【請求項３】
請求項１に記載のマスクにおいて、薄膜片３は、装着時に中央部がメガネのパットで押さえられるように山形とすることを特徴とするマスク。
【発明の詳細な説明】
【技術分野】
【０００１】  本発明は、人の口と鼻を覆うマスクに関する。
【背景技術】
【０００２】  従来のマスクは、鼻と頬に接するマスク上辺部の隙間から呼気が漏れ、メガネが曇るという問題があった。【０００３】  このようなメガネの曇を軽減ないし解消すべく、従来より幾つかの提案がなされている。【０００４】  例えば、特許文献１にあるように、顔面形状に合わせて変形する形状保持部材付き隙間閉塞シートをマスク上辺部内側に設け、前記の隙間を塞ぐように図っているものがある。【０００５】  例えば、特許文献２にあるように、マスク上辺部に塑性変形する樹脂や金属板を設け、これを鼻や頬の形状に合わせて曲げて、前記の隙間を塞ぐように図っているものがある。【０００６】  例えば、特許文献３にあるように、マスク上辺部に粘着性物質を備え、鼻と頬に粘着させることにより、前記の隙間を塞ぐように図っているものがある。【０００７】  例えば、特許文献４、５にあるように、マスク上辺部にスポンジ状物質を備え、前記の隙間を塞ぐように図っているものがある。【０００８】  例えば、特許文献６にあるように、マスクの上辺部内側に薄膜状で空気を通さないかまたは空気を通しにくい薄膜片の上辺を固定し、口と鼻から吐き出された呼気の空気圧を利用して薄膜片を顔面に押し付けることにより、前記の隙間を塞ぐように図っているものがある。【０００９】  例えば、特許文献７にあるように、マスクの上辺部内側に薄膜片を設け、薄膜片の両辺を中心より下部で接合し簿膜片中幹部を膨らませることにより、前記の隙間を塞ぐように図っているものがある。
【先行技術文献】
【特許文献】
【００１０】
【特許文献１】特開２０１７−２０３２２１
【特許文献２】特開２００６−３０５２７９
【特許文献３】特開２００６−２６３１７２
【特許文献４】特開２００８−１４８９８４
【特許文献５】特開２００３−２３６０００
【特許文献６】特開２０１３−０７５１３０
【特許文献７】特開２０１６−１８８４５３
【発明の概要】
【発明が解決しようとする課題】
【００１１】  しかしながら、前述特許文献１に記載された顔面形状に合わせて変形する形状保持部材付き隙間閉塞シートをマスク上辺部内側に設けたものでは、継続してシートを鼻と頬に密着させるのは難しくメガネの曇り止め機能は不十分である。【００１２】  また、前述特許文献２に記載されたマスク上辺部に塑性変形する樹脂や金属板を設けたものでは、継続してマスク上辺部を鼻と頬に密着させるのは難しく、メガネの曇り止め機能は不十分である。【００１３】  また、前述特許文献３に記載されたマスク上辺部に粘着性物質を備え、マスク上辺部を鼻と頬に粘着させるものは、汗や化粧など皮膚の状態によっては粘着できにくい場合もある。【００１４】  また、前述特許文献４、５に記載されたマスク上辺部にスポンジ状物質を備えたものは、スポンジ状物質の厚みで保管容積を取りすぎる。【００１５】  また、前述特許文献６に記載されたマスクの上辺部内側に薄膜状で空気を通さないかまたは空気を通しにくい薄膜片の上辺を固定し、口と鼻から吐き出された呼気の空気圧を利用して薄膜片を顔面に押し付けるものは、呼気の空気圧で逆に薄膜片と鼻と頬との間に隙間を生じさせてしまう。【００１６】  また、前述特許文献７に記載されたマスクの上辺部内側に薄膜片を設け、薄膜片の両辺を中心より下部で接合し簿膜片中幹部を膨らませることにより、鼻と頬の間に形成される隙間を塞ぐものは、シワを作るように簿膜片中幹部を膨らませるため、薄膜片を鼻と頬にしっかりと密着させるのは難しくメガネの曇り止め機能は不十分である。【００１７】  本発明は、このような事情に鑑みてなされたもので、装着時マスクの上辺部にできる鼻と頬の隙間を塞ぎ、その隙間から漏れる呼気によるメガネの曇りを軽減させるマスクの提供を目的とする。
【課題を解決するための手段】
【００１８】  本発明のマスクは、マスク本体１の上辺部内側に、下方に山形で適度に柔軟性があり不通気性の薄膜片３を上辺中央より両端を下げた接着線４と接着線５で接着することを特徴とするマスクである。この状態で、薄膜片３は、装着前に上方に折り曲げマスク本体１を装着するとマスク本体１より内側に鋭角に傾き、山形の中央部がメガネのパットで抑えられ鼻と頬をしっかり密着し覆うように形成される。【００１９】  前記のマスクにおいて、本考案マスクを装着したとき、薄膜片３はマスク本体と同じ肌触りとなるように、適度に柔軟性があり不通気性の薄膜にマスク本体１と同じ被膜で両面を覆う。
【発明の効果】
【００２０】  本発明によれば、マスク上辺部に接合する薄膜片３の接着線４に沿って上辺に折り曲げ、耳掛紐２を耳に掛けマスク本体１を装着すると薄膜片３がマスク本体１より内側に鋭角に傾き、鼻と頬との間にできる隙間を塞ぐことにより、メガネの呼気による曇りを防ぐことができる。【００２１】  本発明によれば、マスク本体１に薄膜片３の厚みが加わるだけであり、スポンジ状物質を使用する方法に比べ保管容積が少なくなる。【００２２】  本発明によれば、薄膜片３は不通気性で適度の柔軟性とマスク本体１と同じ被膜で覆うことにより、マスク本体１と同じ肌触りとなり装着での違和感を軽減できる。【００２３】  本発明によれば、メガネを使用しないときは薄膜片３をそのままにしてマスク本体１の形状として使用できる。
【図面の簡単な説明】
【００２４】
【図１】  請求項１の実施の形態を示すマスク裏面図である。
【図２】  同上マスクの側面図である。
【図３】  本考案マスクの薄膜片を上方に折り曲げ使用する時の裏面図である。
【図４】  同上マスクの側面図である。
【図５】  本発明のマスクを装着した状態を示す側面図。
【発明を実施するための形態】
【００２５】  本考案のマスクは、図１及び図２に示すようにマスク本体１の上辺部内側に、適度に柔軟性があり不通気性の薄膜片３を上辺中央より両端を下げた接着線４に沿って接着して設けられている。
【００２６】  本考案マスクの薄膜片３は、適度に柔軟性があり不通気性の薄膜をマスク本体１と同じ被膜で両面を覆っている。
【００２７】  図３と図４及び図５に示すように、本考案マスクの薄膜片３は、装着前に接着線４に沿って上方に折り曲げ、耳掛紐２を耳に掛けマスク本体１を装着するとマスク本体１より内側に鋭角に傾き、薄膜片３の中央部がメガネのパットで抑えられ鼻と頬をしっかり覆うように密着する形状となっている。
【符号の説明】
【００２８】１      マスク本体
２      耳掛紐
３      薄膜片
４      接着線
５      接着線
【図１】
2019119977.tif 000003
【図２】
2019119977.tif 000004
【図３】
2019119977.tif 000005
【図４】
2019119977.tif 000006
【図５】
2019119977.tif 000007